(57)【要約】【課題】扉の揺れを抑制できるパワーコンディショナー用筐体を得ること。【解決手段】パワーコンディショナー用筐体１は、開口を有すると共にパワーコンディショナーの機器類が収められる筐体本体１０と、筐体本体１０に取り付けられて、筐体本体１０の開口を覆うことができる扉１１と、筐体本体１０と扉１１とのうちの一方に設けられる軸体１３と、筐体本体１０と扉１１とのうちの他方に設けられ、軸体１３の外周面１３ａの少なくとも一部を覆って、軸体１３の回動軸ＲＬを中心に回動できるように軸体１３を支持する軸受１４と、軸体１３の外周面１３ａと軸受１４の内周面１４ａとを接触させ、軸体１３の径方向の力Ｆを軸体１３または軸受１４に与える押付け手段としての板バネ１５とを備えることを特徴とする。【選択図】図４
2011014625.tif 000002
【特許請求の範囲】
【請求項１】
開口を有すると共にパワーコンディショナーの機器類が収められる筐体本体と、
前記筐体本体に取り付けられて、前記開口を覆うことができる扉と、
前記筐体本体と前記扉とのうちの一方に設けられる軸体と、
前記筐体本体と前記扉とのうちの他方に設けられ、前記軸体の外周面の少なくとも一部を覆って、前記軸体の回動軸を中心に回動できるように前記軸体を支持する軸受と、
前記軸体の前記外周面と前記軸受の内周面とを接触させ、前記軸体の径方向の力を前記軸体または前記軸受に与える押付け手段と、
を備えることを特徴とするパワーコンディショナー用筐体。
【請求項２】
前記押付け手段は、
前記扉が前記開口を覆っている場合のみ前記力を前記軸体または前記軸受に与えることを特徴とする請求項１に記載のパワーコンディショナー用筐体。
【請求項３】
前記押付け手段は、
前記軸体の前記外周面と前記軸受の内周面との間に設けられる弾性部材であり、
前記軸体は、
前記軸受の前記内周面に向かって突出し、かつ、前記扉が前記開口を覆う際に前記弾性部材と接触して前記弾性部材を弾性変形させる突出部が形成されることを特徴とする請求項２に記載のパワーコンディショナー用筐体。
【請求項４】
前記軸体は、
前記突出部としての大径部と、
前記軸体の前記回動軸から前記外周面までの距離が前記大径部よりも小さい小径部と、
を含んで構成されることを特徴とする請求項３に記載のパワーコンディショナー用筐体。
【請求項５】
前記押付け手段は、
前記扉と、前記筐体本体とのいずれかに取り付けられる弾性部材であり、
前記扉が前記開口を覆う際に、前記扉と前記筐体本体とに接触して弾性変形することを特徴とする請求項２に記載のパワーコンディショナー用筐体。
【請求項６】
前記押付け手段は、
前記軸体と前記軸受とのうちのいずれかに取付側端部が取り付けられる弾性部材と、
球面部分を有し、前記取付側端部とは反対側の先端部に設けられて、前記軸体と前記軸受とのうち前記弾性部材が取り付けられない方に前記球面部分が接触する先端部材と、
を含んで構成されることを特徴とする請求項１に記載のパワーコンディショナー用筐体。
【請求項７】
開口を有すると共にパワーコンディショナーの機器類が収められる筐体本体と、
前記筐体本体に取り付けられて、前記開口を覆うことができる扉と、
前記筐体本体と前記扉とのうちの一方に設けられる軸体と、
前記筐体本体と前記扉とのうちの他方に設けられ、前記軸体の外周面の少なくとも一部を覆って、前記軸体の回動軸を中心に回動できるように前記軸体を支持する軸受と、
前記軸体と前記軸受とのうちのいずれかに取付側端部が取り付けられ、前記回動軸に直交する方向のうちの第１方向に収縮する第１弾性部材と、
球面部分を有し、前記第１弾性部材の前記取付側端部とは反対側の先端部に取り付けられて、前記軸体と前記軸受とのうちの前記第１弾性部材が取り付けられない方に前記球面部分が接触する第１先端部材と、
前記軸体と前記軸受とのうちのいずれかに取付側端部が取り付けられ、前記第１方向とは反対の第２方向に収縮する第２弾性部材と、
球面部分を有し、前記第２弾性部材の前記取付側端部とは反対側の先端部に取り付けられて、前記軸体と前記軸受とのうち前記第２弾性部材が取り付けられない方に前記球面部分が接触する第２先端部材と、
を備えることを特徴とするパワーコンディショナー用筐体。
【請求項８】
前記軸体は、
前記軸体の前記回動軸の方向に移動できるように前記軸受に支持されることを特徴とする請求項１から請求項７のいずれか一項に記載のパワーコンディショナー用筐体。
【発明の詳細な説明】
【技術分野】
【０００１】
本発明は、パワーコンディショナーの機器類を格納するパワーコンディショナー用筐体に関する。
【背景技術】
【０００２】
従来、扉を備える筐体では、扉が閉められている状態で扉が揺れることがあった。この扉の揺れを抑制するための技術として、例えば、特許文献１には、２つの折り畳みパネルが対となって設けられる扉に取り付けられ、２つの折り畳みパネルの当接側の裏面下部にそれぞれ凹部と凸部が対向して設けられ、２つの折り畳みパネルが閉止された際に密着係合する凹形掛止具と凸形掛止具を含んで構成される折り畳み扉の揺れ止め具が開示されている。
【先行技術文献】
【特許文献】
【０００３】
【特許文献１】特開平１０−２９９３３２号公報
【発明の概要】
【発明が解決しようとする課題】
【０００４】
特許文献１に開示されている技術は、２つの折り畳みパネルの当接部分の揺れは抑制できるが、扉のヒンジ部分（蝶番）で扉が揺れる場合が考えられる。特に、屋外に配置される筐体、例えば太陽光発電装置に用いられるパワーコンディショナーの機器類を格納するパワーコンディショナー用筐体では、扉のヒンジ部分に隙間が生じる場合がある。よって、特許文献１の技術では、扉の揺れの抑制が不十分となる。
【０００５】
本発明は、上記に鑑みてなされたものであって、扉の揺れを抑制できるパワーコンディショナー用筐体を得ることを目的とする。
【課題を解決するための手段】
【０００６】
上述した課題を解決し、目的を達成するために、本発明に係るパワーコンディショナー用筐体は、開口を有すると共にパワーコンディショナーの機器類が収められる筐体本体と、前記筐体本体に取り付けられて、前記開口を覆うことができる扉と、前記筐体本体と前記扉とのうちの一方に設けられる軸体と、前記筐体本体と前記扉とのうちの他方に設けられ、前記軸体の外周面の少なくとも一部を覆って、前記軸体の回動軸を中心に回動できるように前記軸体を支持する軸受と、前記軸体の前記外周面と前記軸受の内周面とを接触させ、前記軸体の径方向の力を前記軸体または前記軸受に与える押付け手段と、を備えることを特徴とする。
【発明の効果】
【０００７】
本発明によれば、扉の揺れを抑制できるという効果を奏する。
【図面の簡単な説明】
【０００８】
【図１】図１は、扉が閉まっている際の実施の形態１に係るパワーコンディショナー用筐体を示す正面図である。
【図２】図２は、扉が開いている際の実施の形態１に係るパワーコンディショナー用筐体を示す正面図である。
【図３】図３は、扉が開いている際の実施の形態１に係るヒンジ部分を回動軸に直交する仮想平面で切って示す断面図である。
【図４】図４は、扉が閉まっている際の実施の形態１に係るヒンジ部分を回動軸に直交する仮想平面で切って示す断面図である。
【図５】図５は、扉が開いている際の実施の形態２に係るヒンジ部分を回動軸に直交する仮想平面で切って示す断面図である。
【図６】図６は、扉が閉まっている際の実施の形態２に係るヒンジ部分を回動軸に直交する仮想平面で切って示す断面図である。
【図７】図７は、扉が開いている際の実施の形態３に係るヒンジ部分を回動軸に直交する仮想平面で切って示す断面図である。
【図８】図８は、扉が閉まっている際の実施の形態３に係るヒンジ部分を回動軸に直交する仮想平面で切って示す断面図である。
【図９】図９は、扉が開いている際の実施の形態４に係るヒンジ部分を回動軸に直交する仮想平面で切って示す断面図である。
【図１０】図１０は、扉が閉まっている際の実施の形態４に係るヒンジ部分を回動軸に直交する仮想平面で切って示す断面図である。
【発明を実施するための形態】
【０００９】
以下に、本発明に係るパワーコンディショナー用筐体の実施の形態を図面に基づいて詳細に説明する。なお、この実施の形態によりこの発明が限定されるものではない。
【００１０】
実施の形態１．
図１は、扉が閉まっている際の実施の形態１に係るパワーコンディショナー用筐体を示す正面図である。図２は、扉が開いている際の実施の形態１に係るパワーコンディショナー用筐体を示す正面図である。実施の形態１に係るパワーコンディショナー用筐体１は、図１及び図２に示すように、筐体本体１０と、扉１１とを備える。筐体本体１０は、図２に示すように、背板１０ａと、天板１０ｂと、底板１０ｃと、２つの側板１０ｄとを含んで構成される。天板１０ｂと、底板１０ｃと、２つの側板１０ｄとは、背板１０ａの同一側の面に、例えば垂直に設けられる。天板１０ｂと、底板１０ｃとは、互いに対向して設けられる。２つの側板１０ｄは、互いに対向して設けられる。
【００１１】
筐体本体１０は、背板１０ａと、天板１０ｂと、底板１０ｃと、２つの側板１０ｄとで、開口１０ｅを有する箱型に形成される。ここで、開口１０ｅは、天板１０ｂの端部のうち背板１０ａとは反対側の端部と、底板１０ｃの端部のうち背板１０ａとは反対側の端部と、側板１０ｄの端部のうち背板１０ａとは反対側の端部とで囲まれる開口である。パワーコンディショナー用筐体１は、この箱型の筐体本体１０内にパワーコンディショナーの機器類が格納される。
【００１２】
扉１１は、２つの側板１０ｄのうちの一方に、回動軸ＲＬを軸に回動できるように連結される。回動軸ＲＬは、本実施の形態では、天板１０ｂ及び底板１０ｃに直交する。パワーコンディショナー用筐体１は、扉１１が回動軸ＲＬを軸に回動されることにより、図１に示すように、扉１１によって図２に示す開口１０ｅが覆われたり、図２に示すように、開口１０ｅが開放されたりする。以下、扉１１によって開口１０ｅが覆われた状態を扉が閉まっている状態といい、開口１０ｅが開放されている状態を扉が開いている状態という。次に、扉１１と筐体本体１０との連結部分、いわゆるヒンジ部分の構成について説明する。
【００１３】
図３は、扉が開いている際の実施の形態１に係るヒンジ部分を回動軸に直交する仮想平面で切って示す断面図である。図４は、扉が閉まっている際の実施の形態１に係るヒンジ部分を回動軸に直交する仮想平面で切って示す断面図である。図３及び図４に示すように、パワーコンディショナー用筐体１のヒンジ部分は、軸体１３と、軸受１４と、押付け手段としての板バネ１５とを含んで構成される。
【００１４】
軸体１３は、回動軸ＲＬに直交する仮想平面で切った断面が円形の一部を切り欠いた形状に形成される。以下、回動軸ＲＬに直交する仮想平面で切った断面を単に断面という。回動軸ＲＬは、軸体１３の断面が真円であると仮定した場合の軸体１３の中心軸である。本実施の形態では、軸体１３は扉１１に設けられる。軸体１３は、小径部１３ｂと、突出部としての大径部１３ｃとが含まれる。小径部１３ｂは、大径部１３ｃよりも軸体１３の径方向の大きさが小さい部分である。なお、軸体１３の径方向とは、軸体１３の回動軸ＲＬと直交する方向である。軸体１３は、例えば、大径部１３ｃの一部が切削されることによって、小径部１３ｂが形成される。
【００１５】
軸受１４は、軸体１３の外周面１３ａの少なくとも一部を覆う形状に形成される。なお、外周面１３ａには、小径部１３ｂの外周面と、大径部１３ｃの外周面とが含まれる。本実施の形態では、軸受１４は、軸体１３と扉１１との連結部分を避けて筒型の一部が欠けた形状に形成される。これにより、軸受１４は、断面が略Ｃ字型をなす。本実施の形態では、軸受１４は筐体本体１０に設けられる。
【００１６】
パワーコンディショナー用筐体１は、軸体１３が軸受１４の内側に挿入される。ここで、前記内側とは、断面が略Ｃ字型に形成される軸受１４のＣ字部分に囲まれた空間である。これにより、パワーコンディショナー用筐体１は、軸受１４の内周面１４ａと軸体１３の外周面１３ａとが対向する。よって、パワーコンディショナー用筐体１は、軸体１３が軸受１４に回動軸ＲＬを軸に回動できるように支持される。結果として、パワーコンディショナー用筐体１は、扉１１が筐体本体１０に対して開閉できるようにヒンジ部分によって支持できる。ここで、ヒンジ部分は、軸体１３が扉１１に設けられ、軸受１４が筐体本体１０に設けられる構成に限定されない。ヒンジ部分は、軸体１３が筐体本体１０に設けられ、軸受１４が扉１１に設けられてもよい。
【００１７】
パワーコンディショナー用筐体１は、扉１１が開かれた状態で扉１１の一部が軸受１４や筐体本体１０に干渉する場合がある。このような場合、ヒンジ部分は、軸受１４や筐体本体１０に逃げ部１４ｂが形成される。逃げ部１４ｂは、扉１１が開閉される際に、図３に示すように、扉１１の一部が出し入れされる部分である。
【００１８】
板バネ１５は、回動軸ＲＬと直交する方向に弾性変形する弾性部材である。板バネ１５は、軸受１４の内側に設けられる。具体的には、板バネ１５は、内周面１４ａと、軸体１３の外周面１３ａとの間に設けられる。板バネ１５は、例えば、軸受１４の内周面１４ａに形成される２つの取付溝１４ｃに嵌め込まれて支持される。ここで、板バネ１５は、図３に示すように扉１１が開いている際に小径部１３ｂと対向し、かつ、図４に示すように扉１１が閉じている際に大径部１３ｃと対向する位置に設けられる。また、板バネ１５は、図３に示すように扉１１が開いている際には、小径部１３ｂの外周面１３ａと接触せず、かつ、図４に示すように扉１１が閉じている際には、大径部１３ｃの外周面１３ａと接触するように設けられる。
【００１９】
これにより、パワーコンディショナー用筐体１は、図４に示すように、扉１１が閉めらている際に、回動軸ＲＬから離れる方向に板バネ１５が軸体１３の大径部１３ｃに押される。よって、板バネ１５は、回動軸ＲＬから離れる方向に弾性変形する。この時、板バネ１５は、軸体１３が板バネ１５から離れる方向の力Ｆを軸体１３に与える。この力Ｆは、軸体１３の径方向の力であって、軸体１３の外周面１３ａの一部と軸受１４の内周面１４ａの一部とが互いに近づく方向の力である。
【００２０】
よって、軸体１３は、力Ｆが働く方向、つまり板バネ１５から離れる方向に移動して、軸体１３の外周面１３ａが軸受１４の内周面１４ａに接触する。ここで、軸体１３の外周面１３ａが接触する軸受１４の内周面１４ａの部分は、板バネ１５と対向する部分である。以上により、パワーコンディショナー用筐体１は、軸体１３の外周面１３ａが軸受１４の内周面１４ａに押し付けられる。これにより、パワーコンディショナー用筐体１は、扉１１が閉まっている際の扉１１の揺れを抑制できる。
【００２１】
ここで、パワーコンディショナー用筐体１は、図３に示すように、扉１１が開いている際、板バネ１５は軸体１３の外周面１３ａと接触しない。よって、扉１１が開いている際、パワーコンディショナー用筐体１は、軸体１３の外周面１３ａが軸受１４の内周面１４ａに押さえ付けられない。これにより、パワーコンディショナー用筐体１は、扉１１が開閉される際の軸体１３の外周面１３ａと軸受１４の内周面１４ａとの間に働く摩擦力を低減できる。結果として、パワーコンディショナー用筐体１は、ユーザーが扉１１を開閉するために必要な力を低減できる。
【００２２】
ここで、板バネ１５は、常に軸体１３の外周面１３ａと接触する構成でもよい。この場合、パワーコンディショナー用筐体１は、軸体１３に小径部１３ｂが形成されず、外周面１３ａが常に板バネ１５を弾性変形させる。この構成の場合、パワーコンディショナー用筐体１は、扉１１が閉まっている場合及び扉１１が開いている場合の両方で扉１１の揺れを抑制できる。但し、扉１１が開閉される機会は、一般的にパワーコンディショナーの機器類の保守及び点検の時であって頻度は少ない。よって、パワーコンディショナー用筐体１は、扉１１が開かれた状態での扉１１の揺れを抑制する構成よりも、扉１１が開閉される際の軸体１３の外周面１３ａと軸受１４の内周面１４ａとの間に働く摩擦力を低減する構成の方が好ましい。つまり、パワーコンディショナー用筐体１は、軸体１３に小径部１３ｂが形成される方が好ましい。
【００２３】
ここで、軸体１３は、小径部１３ｂ及び大径部１３ｃが形成される構成に限定されず、例えば、突出部としての突起部が形成されてもよい。この場合、前記突起部は、扉１１が閉まっている際に、板バネ１５と接触して板バネ１５を弾性変形させる。この構成でも、板バネ１５は、軸体１３の径方向の力であって、軸体１３の外周面１３ａの一部と軸受１４の内周面１４ａの一部とが互いに近づく方向の力Ｆを軸体１３に与えることができる。よって、パワーコンディショナー用筐体１は、扉１１が閉まっている状態での扉１１の揺れを抑制できる。
【００２４】
また、パワーコンディショナー用筐体１は、板バネ１５が軸体１３の外周面１３ａに設けられ、前記突起部が軸受１４の内周面１４ａに形成されてもよい。この場合、板バネ１５は、軸体１３の外周面１３ａよりも回動軸ＲＬから離れる方向に突出して設けられる。また、前記突起部は、内周面１４ａから回動軸ＲＬに近づく方向に突出して設けられる。この場合、パワーコンディショナー用筐体１は、前記突起部と板バネ１５とが接触して板バネ１５が弾性変形すると、軸体１３の径方向の力であって、軸体１３の外周面１３ａの一部と軸受１４の内周面１４ａの一部とが互いに近づく方向の力Ｆを、軸受１４に与えることができる。これにより、パワーコンディショナー用筐体１は、軸体１３の外周面１３ａが軸受１４の内周面１４ａに押し付けられる。結果として、この場合でも、パワーコンディショナー用筐体１は、扉１１が閉まっている状態での扉１１の揺れを抑制できる。
【００２５】
実施の形態２．
図５は、扉が開いている際の実施の形態２に係るヒンジ部分を回動軸に直交する仮想平面で切って示す断面図である。図６は、扉が閉まっている際の実施の形態２に係るヒンジ部分を回動軸に直交する仮想平面で切って示す断面図である。図５及び図６に示す実施の形態２に係るパワーコンディショナー用筐体２は、板バネが設けられる位置が、実施の形態１に係るパワーコンディショナー用筐体１とは異なる。
【００２６】
図５及び図６に示すパワーコンディショナー用筐体２のヒンジ部分は、軸体２３と、軸受２４と、押付け手段としての板バネ２５とを備える。軸体２３は、小径部及び突起部としての大径部が形成されず、外周面から回動軸ＲＬまでの距離が一定の円柱である。また、軸受２４は、内周面２４ａに図３及び図４に示す取付溝１４ｃが形成されない。板バネ２５は、略Ｌ字に屈曲した板状の弾性部材である。
【００２７】
板バネ２５は、例えば、扉１１の裏面に取り付けられる。なお、前記裏面とは、扉１１の面のうち、図２に示す開口１０ｅ側の面である。ここで、略Ｌ字に屈曲した板バネ２５のうち、扉１１側の部分を第１部分２５ａといい、残りの部分を第２部分２５ｂという。板バネ２５は、第１部分２５ａが扉１１に取り付けられる。板バネ２５は、第１部分２５ａと第２部分２５ｂとの付け根部分が、軸体２３及び軸受２４側に配置される。
【００２８】
図５に示すように、扉１１が開かれている際、板バネ２５は、第２部分２５ｂが軸受２４に対向する。但し、この時、板バネ２５は、第２部分２５ｂが軸受２４に接触しない。または、板バネ２５は、第２部分２５ｂが軸受２４に接触していたとしても弾性変形しない。一方、板バネ２５は、図６に示すように、扉１１が閉められている際に、第２部分２５ｂが軸受２４に接触して弾性変形する。具体的には、板バネ２５は、第２部分２５ｂが軸受２４から力を受けて、第２部分２５ｂが第１部分２５ａに近づく方向に折れ曲がる。これにより、板バネ２５は、第１部分２５ａが第２部分２５ｂから離れる方向の力Ｆを扉１１に与える。
【００２９】
よって、扉１１に連結される軸体２３も力Ｆが働く方向に移動する。この力Ｆは、軸体２３の径方向の力であって、軸体２３の外周面２３ａの一部と軸受２４の内周面２４ａの一部とが互いに近づく方向の力である。したがって、軸体２３は、軸体２３の外周面２３ａが軸受２４の内周面２４ａに接触する。以上により、パワーコンディショナー用筐体２は、軸体２３の外周面２３ａが軸受２４の内周面２４ａに押し付けられる。これにより、パワーコンディショナー用筐体２は、扉１１が閉まっている際の扉１１の揺れを抑制できる。
【００３０】
ここで、扉１１が閉まっている際に第２部分２５ｂが接触する対象は、軸受２４に限定されない。扉１１が閉まっている際に、軸体２３の軸方向の力であって、軸体２３の外周面２３ａの一部と軸受２４の内周面２４ａの一部とが互いに近づく方向の力を軸体２３に与えることができれば、第２部分２５ｂが接触する対象は、筐体本体１０のいかなる部位でもよい。よって、本実施の形態では、軸受２４は、筐体本体１０の一部として取り扱われる。
【００３１】
ここで、板バネ２５は、例えば、筐体本体１０に取り付けられてもよい。この場合、パワーコンディショナー用筐体２は、略Ｌ字に屈曲した板バネ２５のうち、第２部分２５ｂが筐体本体１０に取り付けられ、第１部分２５ａが扉１１の裏面に対向する。但し、この時、板バネ２５は、第１部分２５ａが扉１１に接触しない。または、板バネ２５は、第１部分２５ａが扉１１に接触していたとしても弾性変形しない。
【００３２】
一方、板バネ２５は、図６に示すように、扉１１が閉められている際に、第１部分２５ａが扉１１に接触して弾性変形する。これにより、板バネ２５は、第１部分２５ａが第２部分２５ｂから離れる方向の力Ｆを扉１１に与える。このように、パワーコンディショナー用筐体２は、板バネ２５が筐体本体１０側に取り付けられても、扉１１が閉まっている際に軸体２３の外周面２３ａが軸受２４の内周面２４ａに押し付けられる。これにより、パワーコンディショナー用筐体２は、扉１１が閉まっている際の扉１１の揺れを抑制できる。
【００３３】
実施の形態３．
図７は、扉が開いている際の実施の形態３に係るヒンジ部分を回動軸に直交する仮想平面で切って示す断面図である。図８は、扉が閉まっている際の実施の形態３に係るヒンジ部分を回動軸に直交する仮想平面で切って示す断面図である。図７及び図８に示す実施の形態３に係るパワーコンディショナー用筐体３は、板バネに代えてコイルバネを備える点で、実施の形態２に係るパワーコンディショナー用筐体２と異なる。
【００３４】
図７及び図８に示すパワーコンディショナー用筐体３のヒンジ部分は、軸体３３と、軸受２４と、押付け手段としてのコイルバネ３５と、先端部材としてのボール３６とを備える。軸体３３は、径方向穴３３ｂが形成される。径方向穴３３ｂは、軸体３３の外周面３３ａに開口し、回動軸ＲＬと直交する方向に回動軸ＲＬに向かって形成される穴である。径方向穴３３ｂの開口は、軸受２４の内周面２４ａと対向する。なお、径方向穴３３ｂは、軸体３３を貫通せずに、軸体３３の内部で閉塞する部分、いわゆる底部３３ｃを有する穴である。
【００３５】
コイルバネ３５は、取付側端部３５ａが軸体３３に取り付けられる。具体的には、コイルバネ３５は、径方向穴３３ｂの内部に設けられて、取付側端部３５ａが底部３３ｃに取り付けられる。コイルバネ３５は、取付側端部３５ａとは反対側の端部である先端部３５ｂが、取付側端部３５ａ側に向かって移動するように弾性変形する弾性部材である。ボール３６は、先端部３５ｂ側に設けられる。ボール３６は、少なくとも先端部３５ｂとは反対側の部分が、径方向穴３３ｂから軸受２４の内周面２４ａに向かって突出する。
【００３６】
本実施の形態では、ボール３６は、図７及び図８に示すように、扉１１の開閉状態に関係なく軸受２４の内周面２４ａに接触して、回動軸ＲＬ側に向かう力を軸受２４の内周面２４ａから受ける。これにより、コイルバネ３５は弾性変形する。よって、コイルバネ３５は、取付側端部３５ａが先端部３５ｂから離れる方向の力Ｆを軸体３３の底部３３ｃに与える。よって、パワーコンディショナー用筐体３は、力Ｆが働く方向に軸体３３が移動する。この力Ｆは、軸体３３の軸方向の力であって、軸体３３の外周面３３ａの一部と軸受２４の内周面２４ａの一部とが互いに近づく方向の力である。したがって、軸体３３は、軸体３３の外周面３３ａが軸受２４の内周面２４ａに接触する。以上により、パワーコンディショナー用筐体３は、軸体３３の外周面３３ａが軸受２４の内周面２４ａに押し付けられる。これにより、パワーコンディショナー用筐体３は、扉１１の開閉状態に関係なく扉１１の揺れを抑制できる。
【００３７】
ここで、例えば、パワーコンディショナー用筐体３は、軸受２４の内周面２４ａの部分のうち、扉１１が開いている際にボール３６と対向する部分が回動軸ＲＬから離れる方向に凹んで形成されてもよい。この場合、パワーコンディショナー用筐体３は、扉１１が開いている際にボール３６が内周面２４ａに接触しない。よって、パワーコンディショナー用筐体３は、扉１１が開いている際に軸体３３の外周面３３ａが軸受２４の内周面２４ａに押し付けられない。これにより、パワーコンディショナー用筐体３は、扉１１が開閉される際の軸体３３の外周面３３ａと軸受２４の内周面２４ａとの間に働く摩擦力を低減できる。結果として、パワーコンディショナー用筐体３は、ユーザーが扉１１を開閉するために必要な力を低減できる。
【００３８】
ここで、先端部材の形状は、球状に限定されない。但し、先端部材は、少なくとも軸受２４の内周面２４ａに接触する部分が球面部分として曲面に形成されると好ましい。これにより、パワーコンディショナー用筐体３は、ボール３６が内周面２４ａに接触しながら移動する際のボール３６の移動を滑らかにすることができる。また、先端部材が球状に形成される場合、先端部材としてのボール３６は、コイルバネ３５の先端部３５ｂに連結されずに先端部３５ｂと接触して設けられてもよい。この場合、パワーコンディショナー用筐体３は、ボール３６が内周面２４ａに接触しながら移動する際にボール３６が回転する。これにより、パワーコンディショナー用筐体３は、ボール３６が内周面２４ａに接触しながら移動する際のボール３６の移動をさらに滑らかにすることができる。
【００３９】
また、パワーコンディショナー用筐体３は、軸体３３の外周面３３ａと、軸受２４の内周面２４ａとの間に、コイルバネ３５及びボール３６を介在できれば、軸体３３に径方向穴３３ｂが形成されなくてもよい。この場合、コイルバネ３５は、例えば、取付側端部３５ａが軸体３３の外周面３３ａに取り付けられる。また、コイルバネ３５は、例えば、軸受２４に取り付けられてもよい。この場合、パワーコンディショナー用筐体３は、軸受２４に径方向穴が形成される。前記径方向穴は、軸受２４の内周面２４ａに開口し、回動軸ＲＬと直交する方向に回動軸ＲＬに向かって形成される穴である。径方向穴の開口は、軸体３３の外周面３３ａと対向する。コイルバネ３５は、取付側端部３５ａが軸受２４に取り付けられる。具体的には、コイルバネ３５は、径方向穴の内部に設けられて、取付側端部３５ａが径方向穴の底部に取り付けられる。
【００４０】
この場合、ボール３６は、扉１１の開閉状態に関係なく軸体３３の外周面３３ａに接触して、回動軸ＲＬから遠ざかる力を軸体３３の外周面３３ａから受ける。これにより、コイルバネ３５は、弾性変形する。よって、パワーコンディショナー用筐体３は、軸体３３の外周面３３ａの一部と軸受２４の内周面２４ａの一部とが互いに近づく方向に軸体３３が移動する。したがって、軸体３３は、軸体３３の外周面３３ａが軸受２４の内周面２４ａに接触して押し付けられる。これにより、パワーコンディショナー用筐体３は、扉１１の開閉状態に関係なく扉１１の揺れを抑制できる。
【００４１】
実施の形態４．
図９は、扉が開いている際の実施の形態４に係るヒンジ部分を回動軸に直交する仮想平面で切って示す断面図である。図１０は、扉が閉まっている際の実施の形態４に係るヒンジ部分を回動軸に直交する仮想平面で切って示す断面図である。図９及び図１０に示す実施の形態４に係るパワーコンディショナー用筐体４は、コイルバネを２つ備える点で、実施の形態３に係るパワーコンディショナー用筐体３と異なる。
【００４２】
図９及び図１０に示すパワーコンディショナー用筐体４のヒンジ部分は、軸体４３と、軸受２４と、第１弾性部材としての第１コイルバネ４７と、第２弾性部材としての第２コイルバネ４８と、第１先端部材としての第１ボール４９ａと、第２先端部材としての第２ボール４９ｂとを備える。軸体４３は、第１径方向穴４４と、第２径方向穴４５とが形成される。第１径方向穴４４は、軸体４３の外周面４３ａに開口し、回動軸ＲＬと直交する方向に回動軸ＲＬに向かって形成される穴である。第１径方向穴４４の開口は、軸受２４の内周面２４ａと対向する。なお、第１径方向穴４４は、軸体４３を貫通せずに、軸体４３の内部で閉塞する第１底部４４ａを有する。
【００４３】
第２径方向穴４５は、軸体４３の外周面４３ａに開口し、回動軸ＲＬと直交する方向に回動軸ＲＬに向かって形成される穴である。第２径方向穴４５は、第１径方向穴４４の反対側に形成される。第２径方向穴４５の開口は、軸受２４の内周面２４ａと対向する。なお、第２径方向穴４５は、軸体４３を貫通せずに、軸体４３の内部で閉塞する第２底部４５ａを有する。
【００４４】
第１コイルバネ４７は、取付側端部４７ａが軸体４３に取り付けられる。具体的には、第１コイルバネ４７は、第１径方向穴４４の内部に設けられて、取付側端部４７ａが第１底部４４ａに取り付けられる。第１コイルバネ４７は、取付側端部４７ａとは反対側の端部である先端部４７ｂが、取付側端部４７ａ側に向かって移動するように弾性変形する弾性部材である。ここで、第１コイルバネ４７が収縮する方向を第１方向Ａ０１とする。第１ボール４９ａは、第１コイルバネ４７の先端部４７ｂ側に設けられる。第１ボール４９ａは、少なくとも第１コイルバネ４７の先端部４７ｂとは反対側の部分が、第１径方向穴４４から軸受２４の内周面２４ａに向かって突出する。
【００４５】
第２コイルバネ４８は、取付側端部４８ａが軸体４３に取り付けられる。具体的には、第２コイルバネ４８は、第２径方向穴４５の内部に設けられて、取付側端部４８ａが第２底部４５ａに取り付けられる。第２コイルバネ４８は、取付側端部４８ａとは反対側の端部である先端部４８ｂが、取付側端部４８ａ側に向かって移動するように弾性変形する弾性部材である。ここで、第２コイルバネ４８が収縮する方向を第２方向Ａ０２とする。第２方向Ａ０２は、第１方向Ａ０１と反対である。第２ボール４９ｂは、第２コイルバネ４８の先端部４８ｂ側に設けられる。第２ボール４９ｂは、少なくとも第２コイルバネ４８の先端部４８ｂとは反対側の部分が、第２径方向穴４５から軸受２４の内周面２４ａに向かって突出する。
【００４６】
本実施の形態では、第１ボール４９ａは、図９及び図１０に示すように、扉１１が閉まっている際に、軸受２４の内周面２４ａに接触して、回動軸ＲＬ側に向かう力を軸受２４の内周面２４ａから受ける。これにより、第１コイルバネ４７は弾性変形する。よって、第１コイルバネ４７は、取付側端部４７ａが先端部４７ｂから離れる方向の第１力Ｆ０１を軸体４３の第１底部４４ａに与える。
【００４７】
また、第２ボール４９ｂは、図９及び図１０に示すように、扉１１が閉まっている際に、軸受２４の内周面２４ａに接触して、回動軸ＲＬ側に向かう力を軸受２４の内周面２４ａから受ける。これにより、第２コイルバネ４８は弾性変形する。よって、第２コイルバネ４８は、取付側端部４８ａが先端部４８ｂから離れる方向の第２力Ｆ０２を軸体４３の第２底部４５ａに与える。ここで、第１力Ｆ０１と、第２力Ｆ０２とは反対方向の力である。
【００４８】
よって、パワーコンディショナー用筐体４は、第１力Ｆ０１と第２力Ｆ０２とが軸体４３に働く。このとき、軸体４３は、第１力Ｆ０１と第２力Ｆ０２とがつり合う位置で、軸受２４内での位置が維持される。これにより、パワーコンディショナー用筐体４は、扉１１が閉まっている際の扉１１の揺れを抑制できる。
【００４９】
ここで、第１ボール４９ａ及び第２ボール４９ｂは、２つとも常に軸受２４の内周面２４ａに接触する構成に限定されない。例えば、実施の形態４に係るパワーコンディショナー用筐体４は、図９に示すように、扉１１が開いている際、第１ボール４９ａのみが軸受２４の内周面２４ａに接触し、第２ボール４９ｂは軸受２４の内周面２４ａには接触しない。この場合、パワーコンディショナー用筐体４は、第１コイルバネ４７のみが弾性変形する。よって、軸受２４は、第１力Ｆ０１のみを受ける。
【００５０】
これにより、パワーコンディショナー用筐体４は、軸体４３が第１力Ｆ０１の働く方向に移動する。つまり、パワーコンディショナー用筐体４は、軸体４３の外周面４３ａの一部と軸受２４の内周面２４ａの一部とが互いに近づく方向に軸体４３が移動する。したがって、軸体４３は、軸体４３の外周面４３ａが軸受２４の内周面２４ａに接触して押し付けられる。これにより、パワーコンディショナー用筐体４は、扉１１が開いている際でも扉１１の揺れを抑制できる。
【００５１】
ここで、パワーコンディショナー用筐体４は、軸体４３の外周面４３ａと、軸受２４の内周面２４ａとの間に、第１コイルバネ４７及び第１ボール４９ａと、第２コイルバネ４８及び第２ボール４９ｂとを介在できれば、軸体４３に第１径方向穴４４及び第２径方向穴４５が形成されなくてもよい。また、第１コイルバネ４７及び第２コイルバネ４８は、例えば、軸受２４に取り付けられてもよい。この場合、パワーコンディショナー用筐体４は、第１径方向穴及び第２径方向穴が軸受２４に形成される。前記第１径方向穴及び第２径方向穴は、軸受２４の内周面２４ａに開口し、回動軸ＲＬと直交する方向に回動軸ＲＬに向かって形成される穴である。
【００５２】
この場合、第１径方向穴及び第２径方向穴の開口は、軸体４３の外周面４３ａと対向する。第１コイルバネ４７は、取付側端部４７ａが軸受２４に取り付けられる。具体的には、第１コイルバネ４７は、第１径方向穴の内部に設けられて、取付側端部４７ａが第１径方向穴の底部に取り付けられる。また、第２コイルバネ４８は、取付側端部４８ａが軸受２４に取り付けられる。具体的には、第２コイルバネ４８は、第２径方向穴の内部に設けられて、取付側端部４８ａが第２径方向穴の底部に取り付けられる。
【００５３】
この場合も、第１ボール４９ａ及び第２ボール４９ｂは、扉１１が閉じている際に、軸体４３の外周面４３ａに接触して、回動軸ＲＬから遠ざかる力、すなわち第１コイルバネ４７及び第２コイルバネ４８がそれぞれ縮む方向の力を軸体４３の外周面４３ａから受ける。これにより、第１コイルバネ４７及び第２コイルバネ４８が弾性変形する。よって、パワーコンディショナー用筐体４は、第１力Ｆ０１と第２力Ｆ０２とが軸体４３に働く。このとき、第１コイルバネ４７が伸縮する第１方向は、第２コイルバネ４８が伸縮する第２方向と反対である。よって、軸体４３は、第１力Ｆ０１と第２力Ｆ０２とがつり合う位置で、軸受２４内での位置が維持される。これにより、パワーコンディショナー用筐体４は、扉１１が閉まっている際の扉１１の揺れを抑制できる。
【００５４】
ここで、上述の実施の形態１から実施の形態４に係るパワーコンディショナー用筐体１−４は、屋外に設けられることがある。よって、これらの実施の形態に係るパワーコンディショナー用筐体１−４は、図１及び図２に示すように、天板１０ｂの端部のうち背板１０ａとは反対側の端部に折返部１０ｆが形成される。折返部１０ｆは、底板１０ｃ側に向かって突出する。折返部１０ｆは、例えば、天板１０ｂが折り曲げられて形成される。これにより、パワーコンディショナー用筐体１−４は、扉１１が閉まっている際に、扉１１と天板１０ｂとの隙間を折返部１０ｆが覆う。よって、パワーコンディショナー用筐体１−４は、扉１１と天板１０ｂとの隙間を介して筐体本体１０内へ水が浸入するおそれを抑制できる。
【００５５】
上記構造のため、上述の実施の形態１から実施の形態４に係るパワーコンディショナー用筐体１−４は、扉１１が開かれる際に扉１１と折返部１０ｆとが干渉し合わないように、扉１１が回動軸ＲＬ方向にスライドして移動できるように構成される。具体的には、パワーコンディショナー用筐体１−４は、軸体が軸受に対して、回動軸ＲＬ方向に移動できるように、軸体が軸受に支持される。パワーコンディショナー用筐体１−４は、扉１１が開かれる際に、まず扉１１が底板１０ｃ側に移動される。そして、パワーコンディショナー用筐体１−４は、扉１１が回動軸ＲＬを軸に回動されて、扉１１が完全に開かれる。
【００５６】
この構成の場合、図３及び図４に示す軸体の外周面と、軸受の内周面との間の隙間が小さくなるほど、軸体の外周面と、軸受の内周面との間の摩擦力が増大する。これにより、軸体の外周面と、軸受の内周面との間の隙間が小さくなるほど、パワーコンディショナー用筐体１−４は、軸体が軸受に対して回動軸ＲＬ方向に移動しにくくなる。よって、パワーコンディショナー用筐体１−４は、軸体の外周面と、軸受の内周面との間に、隙間を設けておく必要がある。
【００５７】
しかしながら、上述のように、上述の実施の形態１から実施の形態４に係るパワーコンディショナー用筐体１−４のヒンジ部分は、扉１１が閉まっている際に軸体の外周面を軸受の内周面に押さえ付ける板バネ１５を備える。よって、パワーコンディショナー用筐体１−４は、軸体の外周面と軸受の内周面との間に、扉１１を回動軸ＲＬ方向に移動させるための隙間が設けられていたとしても、扉１１が閉まっている状態での扉１１の揺れを抑制できる。このように、上述の実施の形態１から実施の形態４に係るパワーコンディショナー用筐体１−４は、回動軸ＲＬ方向に移動する扉１１を備える屋外用のパワーコンディショナー用筐体に好適である。
【産業上の利用可能性】
【００５８】
本発明に係るパワーコンディショナー筐体は、屋外に設置されるものに有用であり、特に、扉の揺れを抑制することに適している。
【符号の説明】
【００５９】
１、２、３、４  パワーコンディショナー用筐体
１０  筐体本体
１０ａ  背板
１０ｂ  天板
１０ｃ  底板
１０ｄ  側板
１０ｅ  開口部
１０ｆ  折返部
１１  扉
１３、２３、３３、４３  軸体
１３ａ、２３ａ、３３ａ、４３ａ  外周面
１３ｂ  小径部
１３ｃ  大径部
１４、２４  軸受
１４ａ、２４ａ  内周面
１４ｂ  逃げ部
１４ｃ  取付溝
１５、２５  板バネ
２５ａ  第１部分
２５ｂ  第２部分
３３ｂ  径方向穴
３３ｃ  底部
３５  コイルバネ
３５ａ、４７ａ、４８ａ  取付側端部
３５ｂ、４７ｂ、４８ｂ  先端部
３６  ボール
４４  第１径方向穴
４４ａ  第１底部
４５  第２径方向穴
４５ａ  第２底部
４７  第１コイルバネ
４８  第２コイルバネ
４９ａ  第１ボール
４９ｂ  第２ボール
Ａ０１  第１方向
Ａ０２  第２方向
Ｆ  力
Ｆ０１  第１力
Ｆ０２  第２力
ＲＬ  回動軸
【図１】
2011014625.tif 000003
【図２】
2011014625.tif 000004
【図３】
2011014625.tif 000005
【図４】
2011014625.tif 000006
【図５】
2011014625.tif 000007
【図６】
2011014625.tif 000008
【図７】
2011014625.tif 000009
【図８】
2011014625.tif 000010
【図９】
2011014625.tif 000011
【図１０】
2011014625.tif 000012